(57)【要約】      （修正有）【課題】過多な差し込み及び／又は抜き外しによる信号中断の可能性を低下させる電気コネクタを提供する。【解決手段】電気コネクタ部品は、ラッチ機構、金属ケース、樹脂ハウジング及び第１の導電部材を含む第１のコネクタと、第１のコネクタの一端に連結された第２のコネクタとを含む。ラッチ機構は、絶縁ベース１１、支持部１２、第２の導電部材１３及び２個のＵ字弾性部材１４を含み、各Ｕ字弾性部材１４は屈曲部１４１及び弾性アーム１４４を含み、絶縁ベース１１は、その両側に設けられた頂部スロット１１１４と、該スロットの下方に形成された凹部１１１５とを含み、支持部１２はその両側に設けられた２つの伸張溝１２６を含み、絶縁ベースの頂部スロット１１１４及び凹部１１１５は、支持部及び絶縁ベースが互いに連結される際に、支持部の溝に固定される。第２のコネクタはその端部に設けられ、ラッチ機構をロックするための開口を含む。【選択図】図５
0003109417.tif 000002
【実用新案登録請求の範囲】
【請求項１】
電気コネクタ部品であって、
ラッチ機構、金属ケース、樹脂ハウジング及び第１の導電部材を含む第１のコネクタと、
前記第１のコネクタの一端に連結された第２のコネクタとを備え、
前記ラッチ機構は、絶縁ベース（１１）、支持部（１２）、第２の導電部材（１３）及び２個のＵ字弾性部材（１４）を含み、各Ｕ字弾性部材（１４）は屈曲部（１４１）及び弾性アーム（１４４）を含み、前記絶縁ベース（１１）は、その両側に設けられた頂部スロット（１１１４）と、該スロットの下方に形成された凹部（１１１５）とを含み、前記支持部（１２）はその両側に設けられた２つの伸張溝（１２６）を含み、前記絶縁ベースの前記頂部スロット（１１１４）及び前記凹部（１１１５）は、前記支持部及び前記絶縁ベースが互いに連結される際に、前記支持部の前記溝に固定され、前記第２のコネクタはその端部に設けられ、前記ラッチ機構をロックするための開口を含む、電気コネクタ部品。
【請求項２】
請求項１記載の電気コネクタ部品において、前記弾性部材（１４）の前記アームは、屈曲部（１４１）に隣接する突出部（１４３）と、前記弾性部材の一端に設けられたラッチ部（１４５）を含み、前記弾性部材の前記屈曲部（１４１）は、歯部（１４２）を含む、電気コネクタ部品。
【請求項３】
請求項２記載の電気コネクタ部品において、前記絶縁ベース（１１）は、拡張本体（１１１）と、該拡張本体と対向する接続部材（１１２）とを含み、前記拡張本体は、接続部（１１１１）と、前記接続部材（１１２）の複数の並行頂部溝（１１７）と連通し、かつ前記第２の導電部材（１３）を受け入れるように構成された凹部（１１１２）とを含み、前記絶縁ベースは、更に、前記接続部（１１１１）の両側に設けられた２個の上側突部（１１４）と、該上側突部（１１４）間に設けられた突起（１１５）と、前記接続部（１１１１）の両側に設けられ、内側トンネル（１１６１）を有する２個の下側突部（１１６）と、前記接続部の頂部の両側に設けられたスロット（１１１４）とを含み、前記弾性部材（１４）と前記絶縁ベース（１１）とを相互に連結する際に、前記弾性部材（１４）の前記屈曲部（１４１）が前記凹部（１１１５）に固定され、前記弾性部材の前記突出部（１４３）がスロット（１１１４）内で締め付けられ、前記支持部（１２）は、更に、その頂部の一端において、中間凹部（１２１０）と、２個の側部切り欠き（１２１１）と、前記側部切り欠き（１２１１）と前記中間凹部（１２１０）との間に設けられた２個の突部（１２１２）とを含み、前記中間凹部、前記側部切り欠き（１２１１）及び前記突部（１２１２）は、前記絶縁ベース（１１）と前記支持部（１２）とが互いに固定される際に、前記上側突部（１１４）及び前記突起（１１５）と嵌合される、電気コネクタ部品。
【請求項４】
請求項１記載の電気コネクタ部品において、前記ケース部材は、後側部材（２１２）と、前側部材（２１１）と、前記前側部材と前記後側部材とを互いに連結するための傾斜面（２１３）とを含む内側ケース部材（２１）と、外側ケース部材（２２）とを含み、前記前側部材（２１１）は、前記支持部（１２）を受け入れるための空間（２１５）と、前記前側部材２１１の両側に設けられ、前記弾性部材（１４）のラッチ部（１４５）が前記内側ケース部材（２１）に挿入されて、そこから突出することを可能にするスリット（２１１３）と、前側部材（２１１）の底面に設けられ、前記外側ケース部材（２２）のスリット（２２５）に挿入されて、前記内側及び前記外側ケース部材を互いに固定する横断リブとを含み、前記外側ケース部材（２２）は前記内側ケース部材（２１）と嵌合し、前記外側ケース部材（２２）は、その両側に設けられた２個のラッチ（２２１）と、外側ケース部材の底部に設けられ、前記絶縁ベース１１の底部と当接する複数のタブ（２２２）と、２つの対向する前記前側部材（２２３）によって形成され、前記内側ケース部材（２１）の前記前側部材（２１１）と実質的に同じ大きさで、該前側部材（２１１）を受け入れる前部空間とを含む、電気コネクタ部品。
【請求項５】
請求項１記載の電気コネクタ部品において、前記ハウジングは、上蓋と、嵌合される下蓋とを含み、前記上蓋は、両側の側壁から下方に延出されたラッチ（３１３）と、４個のコーナーピン（３１２）と、両側に設けられた２つの凹部（３１１）とを含み、前記下蓋は、前記上蓋のピン（３１２）が挿入される４個のコーナー穴（３２２）と、両側に設けられた２個の上向きラッチ（３２３）と、両側内側に設けられた２つの凹部（３２４）とを含み、前記下蓋の前記ラッチ（３２３）が前記上蓋３１の前記凹部（３２４）に挿入され、前記上蓋（３１）の前記ラッチ（３１３）が前記下蓋（３２）の前記凹部（３２４）に挿入されて、前記上蓋と前記下蓋とが互いに固定され、前記上蓋は更に、該上蓋の頂部に形成されたラッチ（３１６）と、前記下蓋の底部に形成されたバー（３２６）とを含み、前記バー（３２６）は、前記上蓋の前記ラッチ（３１６）に抗するように構成されている、電気コネクタ部品。
【請求項６】
請求項３記載の電気コネクタ部品において、前記ラッチ機構の前記支持部（１２）及び前記第２の導電部材（１３）は、インサート成型により一体に形成されている、電気コネクタ部品。
【請求項７】
請求項２記載の電気コネクタ部品において、前記弾性部材の前記歯部（１４２）は、前記トンネル（１１６１）に固定されるように形成されている、電気コネクタ部品。
【考案の詳細な説明】
【技術分野】
【０００１】
本考案は、電気コネクタに関し、詳しくは、改良された特性を有するラッチ機構を備えた小型ＵＳＢ（ユニバーサル・シリアル・バス）型の電気コネクタに関する。
【背景技術】
【０００２】
ポートにおける又は、嵌合コネクタに対しての電気コネクタの信頼性を確保することは、非常に重要である。例えば、小型ＵＳＢ型の電気コネクタは、突起部（所謂、雄型コネクタ）とポート（所謂、雌型コネクタ）とを備える。雄型及び雌型コネクタの各々は、絶縁本体、本体内のコネクタ部品、及び本体を囲む金属ハウジングからなる。
【考案の開示】
【考案が解決しようとする課題】
【０００３】
しかしながら、例えば、ケーブルに取り付けられた雄型コネクタが連結装置に外部から設けられている場合、ケーブルを引っ張ることによって離脱し易くなるので、雄型及び雌型コネクタの連結状態が緩くなる傾向にある。この場合、電気接続状態が不十分なものとなる。小型ＵＳＢ型の電気コネクタの差し込み及び／又は抜き外し回数は、標準的な電気コネクタのそれよりも多いことが分かっている。従って、従来の構成を組み込んだ小型ＵＳＢ型の電気コネクタは、信頼性のある接続を確保することができない。その理由は、雄型コネクタの弾性部材は所定回数の使用により弾性疲労を被る可能性があり、ケーブルを不注意に引っ張ることにより雄型と雌型コネクタの連結が不十分となる可能性があるからである。よって、電気コネクタの活用において、継続的な改良が常時要求される。
【０００４】
本考案の目的は、テコの原理を用いて構成されるラッチ機構を有する電気コネクタを提供して、電気コネクタを嵌合コネクタに確実に取り付けることにある。
本考案の別の目的は、信頼性があり、耐久性のあるラッチ機構を有する電気コネクタを提供して、電気コネクタに接続されたケーブルの不注意な引っ張りにより、連結状態の電気コネクタと嵌合コネクタとの電気接続が不十分とならないようにすることにある。
【課題を解決するための手段】
【０００５】
上記及び他の目的を達成するため、本考案は、電気コネクタ部品を提供する。電気コネクタ部品は、ラッチ機構、金属ケース、樹脂ハウジング及び第１の導電部材を含む第１のコネクタと、前記第１のコネクタの一端に連結された第２のコネクタとを備える。前記ラッチ機構は、絶縁ベース、支持部、第２の導電部材及び２個のＵ字弾性部材を含む。各Ｕ字弾性部材は屈曲部及び弾性アームを含む。前記絶縁ベースは、その両側に設けられた頂部スロットと、該スロットの下方に形成された凹部とを含む。支持部はその両側に設けられた２つの伸張溝を含む。前記絶縁ベースの前記頂部スロット及び前記凹部は、前記支持部及び前記絶縁ベースが互いに連結される際に、前記支持部の前記溝に固定される。前記第２のコネクタはその端部に設けられ、前記ラッチ機構をロックするための開口を含む。
【考案を実施するための最良の形態】
【０００６】
図１〜５には、本考案の好ましい実施形態に従って構成された電子コネクタ部品が示されている。電気コネクタ部品は、その一端がケーブルに連結された第１のコネクタ８００と、第１のコネクタ８００の他端に連結された第２のコネクタ９００とを備える。第１のコネクタ８００は、ラッチ機構１０、金属ケース部材２０、樹脂ハウジング３０、ケーブル拡張部４０を備える。ラッチ機構１０は、絶縁ベース１１、支持部１２、導電部材１３、及び２個のＵ字弾性部材１４を備える。ケース部材２０は、内側ケース部材２１及び外側ケース部材２２を備える。ハウジング３０は、上蓋３１及び下蓋３２を備える。
【０００７】
機構１５は、ラッチ機構１０の絶縁ベース１１、支持部１２、及び導電部材１３からなる。機構１５は、公知のものであり、弾性部材１４と協働するためにのみ設けられている。従って、ここでは、説明を簡潔にするため、その機構の詳細な説明については省略する。ベース１１は、実質的には伸張部材であり、拡張本体１１１と、拡張本体１１１と対向して設けられた接続部材１１２とを備える。拡張本体１１１は、接続部１１１１と、接続部材１１２の複数の並行頂部溝１１７と連通する凹部１１１２とを備える。導電部材１３は、凹部１１１２に受け入れられる。接続部１１１１の両側には２個の上側突部１１４が設けられている。上側突部１１４間には突起１１５が設けられている。支持部１２の頂部の一端には、中間凹部１２１０と、２個の側部切り欠き１２１１と、２個の突部１２１２とが設けられ、２個の突部１２１２の各々は、切り欠き１２１１と中間凹部１２１０との間に設けられている。これらの部材１２１０、１２１１及び１２１２は、ベース１１と支持部１２とが互いに連結され、固定される際に、上側突部１１４及び突起１１５と嵌合される。接続部１１１１の両側には２個の下側突部１１６が設けられている。下側突部１１６は、内側トンネル１１６１を有する。接続部１１１１の頂部１１３の両側にはスロット１１１４が設けられている。上側及び下側突部１１４、１１６の間には凹部１１１５が形成されている。凹部１１１５は、トンネル１１６１と連通している。このような構成により、弾性部材１４とベース１１とを相互に連結する際に、弾性部材１４の２個の屈曲部１４１が凹部１１１５に固定され、弾性部材１４の２個の突出部１４３がスロット１１１４内で締め付けられる。
【０００８】
ラッチ機構１０の支持部１２及び導電部材１３は、インサート成型により一体に形成されている。支持部１２は、後部台座１２１及び前部プレート１２２を備える。後部台座１２１の両側には突部１２３及び隣接タブ１２４が設けられている。タブ１２４は、トンネル１１６１に緊密に受け入れられて、支持部１２がベース１１に固定される。全部プレート１２２は、導電部材１３を受け入れるための下側溝１２５と、２つの伸張溝１２６とを備え、２つの伸張溝１２６上に弾性部材１４の弾性アーム１４４及びラッチ部１４５を配置することが可能となっている。
【０００９】
弾性部材１４は、機構１５と協働するように構成され、かつ、屈曲部１４１と、トンネル１１６１内に配置するための短い分岐上に形成された歯部１４２と、屈曲部１４１に隣接する長い分岐上に形成された突出部１４３と、長い分岐に設けられたアーム１４４と、アーム１４４の開放端に設けられたラッチ部１４５とを備える。ベース１１に弾性部材１４を挿入すると、突出部１４３がスロット１１１４に締め付けられ、アーム１４４が凹部１１１５を通過して、溝１２６上に配置される。使用者は、ラッチ部１４５を操作して、弾性部材１４をベース１１に固定させるか、弾性部材１４をベース１１から取り外すことができる。
【００１０】
図６を参照すると、ケース部材２０は内側ケース部材２１及び外側ケース部材２２を備える。内側ケース部材２１は、前側部材２１１と、後側部材２１２と、前側部材２１１と後側部材２１２とを互いに連結するための傾斜面２１３とを有する。弓形部材２１４は後側部材２１２の一端より延長して設けられている。前側部材２１１には支持部１２を受け入れるための空間２１５が形成されている。前側部材２１１の頂部２１１１には開口２１１２が設けられている。前側部材２１１の両側にはスリット２１１３が設けられている。アーム１４４が溝１２６を通過することで、ラッチ部１４５がスリット２１１３に挿入されて、前側部材２１１から突出することが可能となる。前側部材２１１の底面には、外側ケース部材２２のスリット２２５に挿入されて、内側及び外側ケース部材２１及び２２を互いに固定する横断リブ（図示せず）が設けられている。後側部材２１２は、ケース部材であり、かつ、その頂部２１２１に設けられた２個のラッチ２１２２を有する。ラッチ２１２２は、突出部１４３を位置合わせするために後側部材２１２の頂部の両端に沿って設けられている。後側部材２１２の両側には開口２１６が設けられている。外側ケース部材２２の両側には２個のラッチ２２１が設けられている。ラッチ２２１は、開口２１６に挿入されて、内側及び外側ケース部材２１、２２を互いに固定する。
【００１１】
外側ケース部材２２の底部には複数のタブ２２２が設けられている。タブ２２２は、ベース１１の底部と当接して、ベース１１を外側ケース部材２２内に固定する。２つの対向する前側部材２２３によって空間が形成され、その空間は前側部材２１１と実質的に同じ大きさで、その前側部材２１１を受け入れるようになっている。内側及び外側ケース部材２１、２２が互いに結合される際に、外側ケース部材２２の後部湾曲部材２２４が、弓形部材２１４と協働して、ゲーブルを締め付ける。
【００１２】
ハウジング３０は、組み付けられたケース部材２０を取り囲むように構成されている。上蓋３１は、下蓋３２と嵌合するように構成され、両側壁３１１から下方に延出されたラッチ３１３と、４個のコーナーピン３１２と、両側に設けられた２つの凹部（図示せず）とを備える。嵌合される下蓋３２は、ピン３１２が挿入される４個のコーナー穴３２２と、両側に設けられた２個の上向きラッチ３２３と、両側内側に設けられた２つの凹部３２４とを備える。ラッチ３２３が上蓋３１の凹部に挿入され、ラッチ３１３が下蓋３２の凹部３２４に挿入されて、上蓋３１と下蓋３２とが互いに固定される。上蓋３１の頂部３１５にはラッチ３１６が形成されている。下蓋３２の底部３２５にはバー３２６が設けられている。ラッチ３１６を押圧することで、突出部１４３に力が作用し、バー３２６と当接して、ラッチ機構１０が過剰な押圧力で湾曲することが防止される。この結果、電気コネクタ部品は差し込み及び／又は抜き外し回数が多くなっても、その品質を維持することができる。
【００１３】
ゲーブル拡張部４０は、公知の部材である。従って、説明を簡潔にするため、その機構の詳細な説明については省略する。
図７を参照すると、第２のコネクタ９００は、第１のコネクタ８００に連結されるように構成され、絶縁台座９２、導電部材９３、金属ケース９１を備える。ケース９１は、複数のスリット９１１を備え、ケース９１の外面には、第２のコネクタ９００と第１のコネクタ８００とが互いに連結された際にスリット９１１から突出される（即ち、ロックされる）複数のラッチ９１２が形成されている。
【００１４】
本考案の部品について再び図３〜図６を参照して以下に詳細に説明する。最初に、弾性部材１４の屈曲部１４１及びアーム１４４がスロット１１１４及び凹部１１１５を通過するように挿入され、ラッチ部１４５が突出して、屈曲部１４１がトンネル１１６１に固定される。次に、支持部１２がベース１１に当接し、アーム１４４アーム１４４が溝１２６上に配置される。タブ１２４もトンネル１１６１に挿入されて、支持部１２とベース１１とが互いに固定される。
【００１５】
第２段階で、内側ケース部材２１と上記の組み付け部品とが互いに連結される。続いて、内側ケース部材２１と外側ケース部材２２とを互いに連結して、その際、ラッチ２２１及び２１２２が開口２１６に挿入されて固定される。又、ラッチ２１２２、２２１及びタブ２２２は、第１段階において組み付け部品と当接する。このようにして、これら部品はケース部材２０内に固定される。
【００１６】
第３段階で、上蓋３１を下蓋３２に嵌め込むことにより第２段階で組み付けられた部品及びケーブル拡張部４０を互いに固定して、ハウジング３０内に収容する。このとき、ラッチ３１６は、弾性部材１４に当接している。こうして、図１に示す考案の部品の組み立てが完了する。
【００１７】
本考案の利点には、過多な差し込み及び／又は抜き外しによる信号中断の可能性を低下させ、通信品質を向上させることがある。
ここに記載された詳細な実施形態により本考案が開示されているが、当業者は、実用新案登録請求の範囲に記載された考案の範囲及び技術思想から離れることなく、多くの改良及び変更が可能である。
【図面の簡単な説明】
【００１８】
【図１】本考案の好ましい実施形態の電気コネクタ部品の拡大斜視図である。
【図２】組み付け後の電気コネクタ部品の斜視図である。
【図３】電気コネクタ部品の拡大斜視図である。
【図４】図３におけるラッチ機構の詳細な拡大斜視図である。
【図５】反対側の角度から見た図３におけるラッチ機構の別の拡大斜視図である。
【図６】図３におけるハウジングの詳細な拡大斜視図である。
【図７】図３における第２のコネクタの詳細な拡大斜視図である。
【符号の説明】
【００１９】
１０…ラッチ機構、１１…絶縁ベース、１２…支持部、１３…第２の導電部材、１４…Ｕ字弾性部材、１２６…伸張溝、１４１…屈曲部、１４４…弾性アーム、１１１４…頂部スロット、１１１５…凹部。
【図１】
0003109417.tif 000003
【図２】
0003109417.tif 000004
【図３】
0003109417.tif 000005
【図４】
0003109417.tif 000006
【図５】
0003109417.tif 000007
【図６】
0003109417.tif 000008
【図７】
0003109417.tif 000009